【手続補正書】
【提出日】平成22年10月22日(2010.10.22)
【手続補正１】
【補正対象書類名】明細書
【補正対象項目名】００２５
【補正方法】変更
【補正の内容】
【００２５】
さらに、本発明の印刷方法を適用することができる感熱型平版印刷版は、画像形成層に熱溶融性物質を含有することが好ましく、融点が５０〜１５０℃の有機化合物を好適に使用することができる。画像形成層に熱溶融性物質を含有させることにより、画像部のインキ受理性に優れた感熱型平版印刷版とすることができる。熱溶融性物質の融点が５０℃未満では製造工程中に溶融してしまい印刷物の地汚れの原因となる場合があり、一方１５０℃を超えるとサーマルヘッド等の熱印加で溶融しにくく、親油性の発現が乏しい場合がある。このような熱溶融性物質として、具体的には、１−フェノキシ−２−ナフトキシ（１）−エタン、１−フェノキシ−４−ナフトキシ（２）−ブタン、１−（２−イソプロピルフェノキシ）−２−ナフトキシ（２）−エタン、１−（４−メチルフェノキシ）−３−ナフトキシ（２）−プロパン、１−（２−メチルフェノキシ）−２−ナフトキシ（２）−エタン、１−（３−メチルフェノキシ）−２−ナフトキシ（２）−エタン、１−フェノキシ−２−ナフトキシ（２）−エタン、１−フェノキシ−６−ナフトキシ（２）−ヘキサン、１−（２−フェニルフェノキシ）−２−フェノキシエタン、１−（４−フェニルフェノキシ）−２−（２−メチルフェノキシ）−エタン、１，４−ジフェノキシブタン、１，４−ビス（４−メチルフェノキシ）ブタン、１，２−ジ（３，４−ジメチルフェノキシ）エタン、１−（４−フェニルフェノキシ）−３−フェノキシプロパン、１−フェノキシ−２−（４−ｔ−ブチルフェノキシ）エタン、１，２−ジフェノキシエタン、１−（４−メチルフェノキシ）−２−フェノキシエタン、１−（２，３−ジメチルフェノキシ）−２−フェノキシエタン、１−（３，４−ジメチルフェノキシ）−２−フェノキシエタン、１−（４−エチルフェノキシ）−２−フェノキシエタン、１−（４−イソプロピルフェノキシ）−２−フェノキシエタン、１，２−ビス（２−メチルフェノキシ）エタン、１−（４−メチルフェノキシ）−２−（２−メチルフェノキシ）エタン、１−（４−ｔ−ブチルフェノキシ）−２−（２−メチルフェノキシ）エタン、１，２−ビス（３−メチルフェノキシ）エタン、１−（４−メチルフェノキシ）−２−（３−メチルフェノキシ）エタン、１−（４−エチルフェノキシ）−２−（３−メチルフェノキシ）エタン、１，２−ビス（４−メチルフェノキシ）エタン、１−（２，３−ジメチルフェノキシ）−２−（４−メチルフェノキシ）エタン、１−（２，５−ジメチルフェノキシ）−２−（４−メチルフェノキシ）エタン、フェノキシ酢酸−β−ナフトールエステル、２−ナフトキシ酢酸−ｐ−クレゾールエステル、２−ナフトキシ酢酸−ｍ−クレゾールエステル等が挙げられ、さらに、カルナバワックス、マイクロクリスタリンワックス、パラフィンワックス、ポリエチレンワックスなどのワックス類、ラウリン酸、ステアリン酸、オレイン酸、パルミチン酸、ベヘン酸、モンタン酸などの脂肪酸、及びそのエステル、アミド類等も使用することができる。
【手続補正２】
【補正対象書類名】明細書
【補正対象項目名】００３２
【補正方法】変更
【補正の内容】
【００３２】
本発明の印刷方法に適用することができる感熱型平版印刷版の画像形成層に使用できる顕色剤として、具体的には、４−クミルフェノール、ヒドロキノンモノベンジルエーテル、４，４′−イソプロピリデンジフェノール、１，１−ビス（４−ヒドロキシフェニル）シクロヘキサン、４，４′−ジヒドロキシジフェニル−２，２−ブタン、４，４′−ジヒドロキシジフェニルメタン、２，２−ビス（４−ヒドロキシフェニル）−４−メチルペンタン、２，２−ビス（４−ヒドロキシフェニル）ヘプタン、ビス（４−ヒドロキシフェニルチオエトキシ）メタン、１，５−ジ（４−ヒドロキシフェニルチオ）−３−オキサペンタン、１，１−ビス（４−ヒドロキシフェニル）−１−フェニルエタン、１，４−ビス〔α−メチル−α−（４′−ヒドロキシフェニル）エチル〕ベンゼン、１，３−ビス〔α−メチル−α−（４′−ヒドロキシフェニル）エチル〕ベンゼン、４，４′−ジヒドロキシジフェニルスルフィド、ジ（４−ヒドロキシ−３−メチルフェニル）スルフィン、４−ヒドロキシ−４′−メチルジフェニルスルホン、４−ヒドロキシ−４′−イソプロポキシジフェニルスルホン、２，４′−ジヒドロキシジフェニルスルホン、４，４′−ジヒドロキシジフェニルスルホン、ビス（３−アリル−４−ヒドロキシフェニル）スルホン、４−ヒドロキシフェニル−４′−ベンジルオキシフェニルスルホン、４−ヒドロキシ−３′，４′−テトラメチレンビフェニルスルホン、３，４−ジヒドロキシフェニル−ｐ−トリルスルホン、４，４′−ジヒドロキシベンゾフェノン、４−ヒドロキシ安息香酸ベンジル、Ｎ，Ｎ′−ジ−ｍ−クロロフェニルチオ尿素、Ｎ−（フェノキシエチル）−４−ヒドロキシフェニルスルホンアミドなどのフェノール性化合物、４−〔３−（ｐ−トリルスルホニル）プロピルオキシ〕サリチル酸亜鉛、４−〔２−（ｐ−メトキシフェノキシ）エチルオキシ〕サリチル酸亜鉛、５−〔ｐ−（２−ｐ−メトキシフェノキシエトキシ）クミル〕サリチル酸亜鉛、ｐ−クロロ安息香酸亜鉛などの芳香族カルボン酸の亜鉛塩、更にはチオシアン酸亜鉛のアンチピリン錯体などの有機酸性物質などが挙げられる。
【手続補正３】
【補正対象書類名】明細書
【補正対象項目名】００３３
【補正方法】変更
【補正の内容】
【００３３】
本発明の印刷方法に適用することができる感熱型平版印刷版の画像形成層に使用できる発色剤(電子供与性染料前駆体)の具体的な例は、（１）トリアリールメタン系化合物として３，３′−ビス（ｐ−ジメチルアミノフェニル）−６−ジメチルアミノフタリド（クリスタル・バイオレット・ラクトン）、３，３′−ビス（ｐ−ジメチルアミノフェニル）フタリド、３−（ｐ−ジメチルアミノフェニル）−３−（１，２−ジメチルインドール−３−イル）フタリド、３−（ｐ−ジメチルアミノフェニル）−３−（２−メチルインドール−３−イル）フタリド、３−（ｐ−ジメチルアミノフェニル）−３−（２−フェニルインドール−３−イル）フタリド、３，３−ビス−（１，２−ジメチルインドール−３−イル）−５−ジメチルアミノフタリド、３，３−ビス−（１，２−ジメチルインドール−３−イル）−６−ジメチルアミノフタリド、３，３−ビス−（９−エチルカルバゾール−３−イル）−５−ジメチルアミノフタリド、３，３−ビス−（２−フェニルインドール−３−イル）−５−ジメチルアミノフタリド、３−ｐ−ジメチルアミノフェニル−３−（１−メチルヒロール−２−イル）−６−ジメチル−アミノフタリド等：（２）ジフェニルメタン系化合物として、４，４′−ビス−ジメチルアミノベンズヒドリンベンジルエーテル、Ｎ−ハロフェニルロイコオーラミン、Ｎ−２，４，５−トリクロロフェニルロイコオーラミン等：（３）キサンテン系化合物として、ローダミンＢ−アニリノラクタム、ローダミンＢ−ｐ−ニトロアニリノラクタム、ローダミンＢ−ｐ−クロロアニリノラクタム、３−ジエチルアミノ−７−ジベンジルアミノフルオラン、３−ジエチルアミノ−７−オクチルアミノフルオラン、３−ジエチルアミノ−７−フェニルフルオラン、３−ジエチルアミノ−７−（３，４−ジクロルアニリノ）フルオラン、３−ジエチルアミノ−７−（２−クロロアニリノ）フルオラン、３−ジエチルアミノ−６−メチル−７−アニリノフルオラン、３−ジブチルアミノ−６−メチル−７−アニリノフルオラン、３−ピペリジノ−６−メチル−７−アニリノフルオラン、３−エチル−トリルアミノ−６−メチル−７−アニリノフルオラン、３−エチル−トリルアミノ−６−メチル−７−フェニチルフルオラン、３−ジエチルアミノ−７−（４−ニトロアニリノ）フルオラン等：（４）チアジン系化合物として、ベンゾイルロイコメチレンブルー、ｐ−ニトロベンゾイルロイコメチレンブルー等：（５）スピロ系化合物として、３−メチル−スピロ−ジナフトピラン、３−エチル−スピロ−ジナフトピラン、３，３′−ジクロロ−スピロ−ジナフトピラン、３−ベンジルスピロ−ジナフトピラン、３−メチルナフト−（３−メトキシ−ベンゾ）−スピロピラン、３−プロピル−スピロ−ジベンゾピラン等が挙げられる。またこれらを２種以上併用することもできる。
【手続補正４】
【補正対象書類名】明細書
【補正対象項目名】００５１
【補正方法】変更
【補正の内容】
【００５１】
印刷評価は、オフセット印刷機（リョービイマジクス（株）社製３２００ＣＤ）を用い、インキ受理性の試験は、インキはスーパーテックプラス墨Ｈ（（株）Ｔ＆Ｋ  ＴＯＫＡ社製）、給湿液にＳＬＭ−ＯＤ（三菱製紙（株）社製）を使用し、汚れの試験は、インキにニューチャンピオン紫６８Ｎ（大日本インキ化学工業（株）社製）、給湿液にトーホーエッチ液（東邦精機（株）社製）を使用し行った。インキ受理性の評価、インキ汚れの評価は何れも、印刷開始時に表２示す水を溶媒とした液を脱脂綿に含ませて、これを平版印刷版の表面にそれぞれ４ｇ／ｍ２付与してから実施した。